(57)【要約】【課題】  カバーで光を拡散させてそのカバーを一様に光らせることにより、内部構造を見えにくくして外観のデザイン性を高めることができ、かつ、カバーによる放熱性能を高めることのできる電球形ＬＥＤランプを提供する。【解決手段】  口金１０と発光モジュール２０とカバー３０とを備える。発光モジュール２０は、ＬＥＤ２３を有する光源部２１と電子部品実装部２６とに分かれている。カバー３０を、発光モジュール２０の電子部品実装部２６の周囲を覆う不透明な目隠しカバー体３１と、目隠しカバー体３１に結合されて発光モジュール２０の光源部２１を覆う透明な透光カバー体３６とに分割する。透光カバー体３６の内面又は外面に凸部や凹部で形作られた筋模様を施す。【選択図】        図１
0003173328.tif 000002
【実用新案登録請求の範囲】
【請求項１】
電源に接続される口金と、この口金に電気的接続された発光モジュールと、上記口金に取り付けられて上記発光モジュールを覆うカバーと、を備えた電球型ＬＥＤランプであって、
上記発光モジュールが、ＬＥＤを有する光源部と、この光源部の上記ＬＥＤを発光させるのに必要な電子部品を搭載した電子部品実装部とに分かれていて、
上記カバーが、発光モジュールの上記電子部品実装部の周囲を覆う不透明の目隠しカバー体と、この目隠しカバー体に結合されて発光モジュールの上記光源部を覆う透明又は半透明の透光カバー体とに分割され、
上記透光カバー体の内面又は外面の少なくとも一方側の面に、光を乱反射する光学特性を備えた多数の凸部又は凹部によって形成された筋模様が施されていることを特徴とする電球型ＬＥＤランプ。
【請求項２】
上記筋模様が上記透光カバー体の内面又は外面の少なくとも一方側の面のほぼ全体に亘って形成されている請求項１に記載した電球型ＬＥＤランプ。
【請求項３】
上記筋模様が上記透光カバー体の内面又は外面の少なくとも一方側の面のＬＥＤに対面している透光カバー体の一部分に形成されている請求項１に記載した電球型ＬＥＤランプ。
【請求項４】
上記筋模様が、上記透光カバー体の軸線方向に延び、かつ、上記透光カバー体の周方向に並べられた多数の凸条又は凹条によって形成された縦筋模様である請求項１乃至請求項３のいずれか１項に記載した電球型ＬＥＤランプ。
【請求項５】
上記筋模様が、上記透光カバー体の内面又は外面の少なくとも一方側の面に形成されて当該面の周方向に延び、かつ、上記透光カバー体の軸線方向に並べられた多数の凸条又は凹条によって形成された横筋模様である請求項１乃至請求項３のいずれか１項に記載した電球型ＬＥＤランプ。
【請求項６】
上記筋模様が、ダイアカットの筋模様である請求項１乃至請求項３のいずれか１項に記載した電球型ＬＥＤランプ。
【請求項７】
上記透光カバー体が、外金型とその相手方金型である内金型とでなる成形型を用いて射出成形可能な砲弾形状又はドーム形状を有する樹脂成形体でなる請求項４に記載した電球型ＬＥＤランプ。
【請求項８】
上記発光モジュールは、その光源部が、長手方向複数箇所にＬＥＤを実装した上記カバーの軸線方向に長い細長基板を有し、その電子部品実装部が、上記細長基板の長手方向一端部に固定されている請求項１乃至請求項６のいずれか１項に記載した電球型ＬＥＤランプ。
【考案の詳細な説明】
【技術分野】
【０００１】
本考案は、電球型ＬＥＤランプ、特に、光の指向性の強い発光モジュールのＬＥＤから出る光が直線的であるにもかかわらず、その発光モジュールを覆うカバー自体の作用によって、そのカバーを一様に光らせて光を広い範囲に拡散させることができるようにし、併せて、カバーの外部からその内部構造である上記発光モジュールを見えにくくして外観のデザイン性を向上させた電球型ＬＥＤランプに関する。
【背景技術】
【０００２】
従来例としての電球型ＬＥＤランプは、ソケットなどの電源に接続される口金と、この口金に電気的接続された発光モジュールと、この発光モジュールを覆うカバーと、を備えている。そして、一般的には、カバーが透明なガラスで作られていた。
【０００３】
一方、先行例として、ＬＥＤを備えた発光部を収納する透明又は半透明のカバー部材の内面に、複数の凸部を散在させた電球型ＬＥＤランプが提案されている（たとえば、特許文献１参照）。この特許文献１に示されている電球型ＬＥＤランプでは、点灯回路としての円筒体の平坦な頂面に複数のＬＥＤが横並びに配列された発光部を有し、この発光部の外周に備わっているねじに、カバー部材の内面のねじをねじ込むことによって、発光部にカバー部材を取り付けてある。さらに、この特許文献１には、カバー部材の材料にガラスやプラスチックを用いることができる、とも記載されている。
【０００４】
他の先行例として、拡散カバーによって覆われている光源基板に反射鏡を取り付け、光源基板の平坦な板面に横並びに実装されているＬＥＤから出た指向性の高い光を反射鏡で周囲に指向させ、その反射光を上記拡散カバーを介して周囲に拡散させるようにした電球型ＬＥＤ証明器具が提案されている（たとえば、特許文献２参照）。
【先行技術文献】
【特許文献】
【０００５】
【特許文献１】実用新案登録第３１５０９１４号公報
【特許文献２】実用新案登録第３１６９３１０号公報
【考案の概要】
【考案が解決しようとする課題】
【０００６】
上記した従来例としての電球型ＬＥＤランプによると、発光モジュールの光源部に備わっているＬＥＤの特性によって指向性の高い光が放出される。そのため、ガラスで作られているカバーの一部分、すなわちＬＥＤに対面しているカバーの一部分だけが強く光り、カバーを一様に光らせることが困難であるので、照明効果の及ぶ範囲が狭くなって当該電球型ＬＥＤランプの周囲を満遍なく照明しにくいという問題があった。また、ガラスでなるカバーを介してその外部から内部構造、具体的には発光モジュールがはっきりと見えて目立つために、当該電球型ＬＥＤランプの外観のデザイン性が損なわれるという問題を有していた。
【０００７】
また、特許文献１によって提案されている先行例では、点灯回路としての円筒体の平坦な頂面に複数のＬＥＤが横並びに配列された発光部が上記の発光モジュールに相当している。さらに、特許文献２のものでは、反射鏡で反射した光が、反射鏡の周囲の拡散カバーの一部分だけを透過するので、拡散カバーを一様に光らせて、広い範囲に光を拡散させることができないという問題があった。
【０００８】
本考案は、以上の問題に鑑みてなされたものであり、光の指向性の強い発光モジュールのＬＥＤから出る光が直線的であるにもかかわらず、その発光モジュールを覆うカバーの構成に工夫を講じることによって、そのカバーを一様に光らせて光を広い範囲に拡散させることができるようにすると共に、カバーの外部からその内部構造である上記発光モジュールを見えにくくして外観のデザイン性を向上させた電球型ＬＥＤランプを提供することを目的とする。
【０００９】
また、本考案は、当該電球形ＬＥＤランプのカバーを、球状ないしローソク炎形状のものとして形成しても、あるいは、カバーを細長形状のものとしても、そのカバーを一様に光らせて光を広い範囲に拡散させることができるようにすると共に、カバーの外部からその内部構造である上記発光モジュールを見えにくくして外観のデザイン性を向上させた電球型ＬＥＤランプを提供することを目的とする。
【００１０】
さらに、本考案は、カバーを一様に光らせて光を広い範囲に拡散させることができるようにすると共に、カバーの外部からその内部構造である上記発光モジュールを見えにくくして外観のデザイン性を向上させるために採用した構成そのものが、放熱性能を向上させることにも役立つようにした電球型ＬＥＤランプを提供することを目的とする。
【課題を解決するための手段】
【００１１】
本考案に係る電球型ＬＥＤランプは、電源に接続される口金と、この口金に電気的接続された発光モジュールと、上記口金に取り付けられて上記発光モジュールを覆うカバーと、を備えた電球型ＬＥＤランプであって、上記発光モジュールが、ＬＥＤを有する光源部と、この光源部の上記ＬＥＤを発光させるのに必要な電子部品を搭載した電子部品実装部とに分かれていて、  上記カバーが、発光モジュールの上記電子部品実装部の周囲を覆う不透明の目隠しカバー体と、この目隠しカバー体に結合されて発光モジュールの上記光源部を覆う透明又は半透明の透光カバー体とに分割され、上記透光カバー体の内面又は外面の少なくとも一方側の面に、光を乱反射する光学特性を備えた多数の凸部又は凹部によって形成された筋模様が施されている。ここでいう「凸部又は凹部によって形成された筋模様」には、筋形に延びる凸部又は凹部が含まれる。したがって、凸条や凹条が「凸部又は凹部によって形成された筋模様」に含まれる。また、上記筋模様が上記透光カバー体の内面又は外面の少なくとも一方側の面のほぼ全体に亘って形成されていてもよい。
【００１２】
この考案によると、目隠しカバー体と共働してカバーを構成している透光カバー体の内面又は外面に凸部又は凹部によって形成された筋模様を有して、その筋模様が、多数の凸部又は凹部によって形成されているので、その透光カバー体では光が乱反射したり、透光カバー体を光が乱反射しながら透過する。そのため、発光モジュールのＬＥＤの消灯時には、透光カバー体に当たった外部の光が乱反射し、そのＬＥＤの点灯時には、透光カバー体を光が乱反射しながら拡散して透光カバー体を一様に光らせる。そのため、透光カバー体の内部構造、具体的にはカバーによって覆われている発光モジュールが見えにくくなり、当該電球形ＬＥＤランプの外観のデザイン性が向上する。また、透光カバー体と共働してカバーを構成している目隠しカバー体が発光モジュールの電子部品実装部を覆ってその電子部品実装部を外部から見えなくしていることも、当該電球形ＬＥＤランプの外観のデザイン性が向上させることに役立つ。
【００１３】
本考案において、筋模様が上記透光カバー体の内面又は外面の少なくとも一方側の面のＬＥＤに対面している透光カバー体の一部分に形成されている、という構成を採用してもよい。この構成を採用しても、ＬＥＤに対面しているカバーの一部分だけが強く光ること無く、カバーを一様に光らせることができる。
【００１４】
さらに、透光カバー体の内面又は外面の一面に筋模様を形成している多数の凸部又は凹部が透光カバー体の内面又は画面の面積を増大させるために、透光カバー体によって発揮される放熱性能が向上し、そのことが発光モジュールに備わっているＬＥＤの耐久性を向上させることに役立つ。
【００１５】
本考案において、上記筋模様は、上記透光カバー体の内面又は外面の少なくとも一方側の面に形成されて当該面の軸線方向に延び、かつ、上記透光カバー体の周方向に並べられた多数の凸条又は凹条によって形成された縦筋模様であってもよい。また、上記透光カバー体の内面又は外面の少なくとも一方側の面に形成されて当該面の周方向に延び、かつ、上記透光カバー体の軸線方向に並べられた多数の凸条又は凹条によって形成された横筋模様であってもよい。さらに、上記透光カバー体の内面又は外面の少なくとも一方側の面に形成されたダイアカットの筋模様であってもよい。
【００１６】
上掲の筋模様のうち、特に、縦筋模様を選択する場合には、上記透光カバー体が、外金型とその相手方金型である内金型とでなる成形型を用いて射出成形可能な砲弾形状又はドーム形状を有する樹脂成形体でなる、という構成を採用することが望ましい。この構成を採用すると、透光カバー体の縦筋模様を、当該透光カバー体を樹脂で成形するときに同時に、外金型と内金型とでなる簡素な成形型を用いて安価に製作することができるようになる。
【００１７】
本考案において、上記発光モジュールは、その光源部が、長手方向複数箇所にＬＥＤを実装した上記カバーの軸線方向に長い細長基板を有し、その電子部品実装部が、上記細長基板の長手方向一端部に固定されている、という構成を採用することが可能である。この構成を採用すると、細長いカバーを有する電球型ＬＥＤランプであっても、その細長いカバーの透光カバー体を一様に光らせてそのデザイン性を高めることが容易になる。また、当該電球型ＬＥＤランプが、細長いローソク炎のような形状のカバーを有する所謂なつめ球やローソク球などであっても、容易に透光カバー体を一様に光らせることができ、しかも、カバーの内部構造を見えにくくすることが可能になる。
【考案の効果】
【００１８】
以上のように、本考案によると、光の指向性の強い発光モジュールのＬＥＤから出る光が直線的であるにもかかわらず、その発光モジュールを覆うカバー自体の作用によって、そのカバーが一様に光り、しかも、カバーの外部からその内部構造である発光モジュールが見えにくくなるので、外観のデザイン性を向上させた電球型ＬＥＤランプを提供することが可能になるという効果が発揮される。この効果は、また、透光カバー体と共働してカバーを構成している目隠しカバー体が発光モジュールの電子部品実装部を覆ってその電子部品実装部を外部から見えなくしていることによってさらに助長される。そのほか、透光カバー体の内面又は外面の一面に筋模様を形成している多数の凸部又は凹部が透光カバー体の内面又は外面の面積を増大させるので、透光カバー体によって発揮される放熱性能が向上し、そのことが発光モジュールに備わっているＬＥＤの耐久性を向上させることに役立つという効果も発揮される。
【図面の簡単な説明】
【００１９】
【図１】本考案の実施形態に係る電球型ＬＥＤランプの側面図である。
【図２】同電球型ＬＥＤランプの分解側面図である。
【図３】透光カバー体と目隠しカバー体との結合箇所の構成を拡大して例示した部分断面図である。
【図４】透光カバー体を一部破断して示した概略側面図である。
【図５】図４のＶ−Ｖ線に沿う部分の底面図である。
【図６】透光カバー体の変形例を示した底面図である。
【図７】透光カバー体の他の変形例を示した底面図である。
【図８】透光カバー体のさらに他の変形例を示した底面図である。
【図９】透光カバー体の一部分に筋模様を形成した例であり、透光カバー体を一部破断して示した概略側面図である。
【考案を実施するための形態】
【００２０】
図１は本考案の実施形態に係る電球型ＬＥＤランプの側面図、図２は同電球型ＬＥＤランプの分解側面図である。
【００２１】
図１の電球型ＬＥＤランプは、室内の壁面や天井などに設置された電源としての電気ソケットに接続される口金１０と、この口金１０に電気的接続された発光モジュール２０と、口金１０に取り付けられて発光モジュール２０を覆うカバー３０と、を備えている。
【００２２】
図例の口金１０はねじ込み型である。カバー３０は、その軸線方向において、樹脂成形体でなる不透明な目隠しカバー体３１と、透光性を備えた透光カバー体３６とに分割されている。そして、透光カバー体３６が目隠しカバー体３１に結合され、その目隠しカバー体３１が上記口金１０に固着されている。目隠しカバー体３１と口金１０との固着箇所では、目隠しカバー体３１に具備された円筒状の首部（図１には現れていない）が口金１０の首部１１の内側に嵌合されてその重なり箇所で接合されている。また、透光カバー体３６が目隠しカバー体３１に結合されていることによってなつめ形状をなす細長中空のカバー３０が形作られている。
【００２３】
図３は透光カバー体３６と目隠しカバー体３１との結合箇所の構成を拡大して例示した部分断面図である。同図のように、目隠しカバー体３１の内周面に段付状の受部３２と突部３３とがそれぞれリング状に形成されている。これに対し、透光カバー体３６には、目隠しカバー体３１の内側に嵌合可能な短い筒部３７が備わっていて、その筒部３７の外周にリング状の突部３８が形成されている。そして、透光カバー体３６と目隠しカバー体３１との結合箇所では、同図のように、発光モジュール２０の電子部品実装部２６に備わっている配線基板２７（後述する）が上記受部３２に載架され、透光カバー体３６側のリング状の突部３８が、その配線基板２７と目隠しカバー体３１側の上記突部３３との間でぐらつかず、しかも、がたつきのない状態で挟持されている。
【００２４】
透光カバー体３６を目隠しカバー体３１に結合するときには、透光カバー体３６の筒部３７を目隠しカバー体３１に押し込んでその突部３８にカバー体３１側の突部３３を乗り越えさせることにより、上記のように透光カバー体３６側の突部３８を、配線基板２７と目隠しカバー体３１側の突部３３との間に挟み込む。また、透光カバー体３６を目隠しカバー体３１から取り外すときには、透光カバー体３６を倒したり引き上げたりすることによって、透光カバー体３６側の突部３８に目隠しカバー体３１側のリング状の突部３３を乗り越えさせて、その突部３８を配線基板２７と目隠しカバー体３１側の突部３３との間から引き出す。なお、図３に符合３４で示した首部が、上記したように口金１０の首部１１の内側に嵌合される。
【００２５】
図１又は図２のように、発光モジュール２０は、ＬＥＤ２３を有する光源部２１と電子部品実装部２６とに分かれている。図例の発光モジュール２０において、光源部２１は、複数枚（たとえば３枚）の細長い矩形の基板（細長基板）２２を並べて中空の多角柱（たとえば中空の３角柱）を形作り、それぞれの細長基板２２の長手方向複数箇所（図例では２箇所）にＬＥＤ２３を搭載することによって構成されている。そして、中空の多角柱に形作られている複数枚の細長基板２２の一端部に、電子部品実装部２６に備わっている配線基板２７が固定されている。なお、複数枚の細長基板２２の他端部には別の配線基板２４が固着されている。電子部品実装部２６において、複数枚の細長基板２２の一端部に固定されている上記配線基板２７には、光源としての上記ＬＥＤ２３を発光させるのに必要な電子部品２８が搭載されている。図例の発光モジュール２０では、口金１０から引き出された電気コード１２（図２参照）が電子部品実装部２６の配線基板２７に接続されていると共に、その配線基板２７や別の配線基板２４を活用して個々のＬＥＤ２３に駆動電力が供給されるようになっている。
【００２６】
図１のように、発光モジュール２０は、カバー３０の内部に配備されてそのカバー３０によって全体が覆われている。さらに具体的には、発光モジュール２０の電子部品実装部２６に備わっている配線基板２７が、図３のように、目隠しカバー体３１側にリング状に形成されている段付状の受部３２に重なり状に載架されている。そして、図１によって判るように、電子部品実装部２６が不透明な目隠しカバー体３１の内側に配備されていると共に、光源部２１が目隠しカバー体３１と透光カバー体３６との間に亘ってそれらの内側に配備され、さらに、別の配線基板２４も透光カバー体３６の内側に配備されている。したがって、目隠しカバー体３１が電子部品実装部２６の周囲を覆い、透光カバー体３６が光源部２１と別の配線基板２４とを覆っていて、目隠しカバー体３１が、外部から電子部品実装部２６を見えなくすることに役立っている。
【００２７】
図４は上記透光カバー体３６を一部破断して示した概略側面図、図５は図４のＶ−Ｖ線に沿う部分の底面図である。図４又は図５のように、発光モジュール２０の光源部２１や別の配線基板２４の周囲を覆っている透光カバー体３６の内面に筋模様が施されている。この筋模様は、透光カバー体３６の内面の全体に亘って形成された多数の筋状の先尖り凸条４２や凹条４１によって形成されている。図例では、筋模様が、透光カバー体３６の内面に形成されてその内面の軸線に沿って法線方向に延び、かつ、透光カバー体３６の周方向に一定の間隔を隔てて並べられた多数の先尖り凸条４２と、相隣接する先尖り凸条４２，４２の相互間に形成されている凹条４１と、によって形成された縦筋模様でなる。
【００２８】
このように、透光カバー体３６の内面に、その全体に亘る縦筋模様が施されていると、その縦筋模様の光学特性により、透光カバー体３６に当たった外光が乱反射して拡散したり、発光モジュール２０のＬＥＤ２３から出た光が乱反射しながら透光カバー体３６に拡散しながら外部へ透過する。そのため、発光モジュール２０が消灯しているときでも、透光カバー体３６が光って当該電球形ＬＥＤランプの外観のデザイン性が高められる。また、発光モジュール２０のＬＥＤ２３が点灯しているときには、ＬＥＤ２３から出た光が拡散する。その結果、ＬＥＤ２３がその特性によって高い指向性を発揮するとしても、ＬＥＤ２３から出た光が透光カバー体３６の周囲に拡散してその透光カバー体３６が一様に光るようになる。したがって、照明効果も当該電球形ＬＥＤランプの周囲全体に及ぶようになる。その上、縦筋模様を形成している凸条４２が透光カバー体３６の内面の面積を増大させてその放熱性能を向上させることに役立つようになり、そのことがＬＥＤ２３の耐久性を向上させることに役立つ。
【００２９】
透光カバー体３６に施されている模様は、図４及び図５を参照して説明した縦筋模様に限定されない。たとえば、図６のように、透光カバー体３６の外面に施すことも可能である。図６に示した縦筋模様は、透光カバー体３６の外面に形成されてその外面の軸線に沿って法線方向に延び、かつ、透光カバー体３６の周方向に一定の間隔を隔てて並べられた多数の先尖り凸条４３と、相隣接する凸条４３，４３の相互間に形成されている凹条４４と、によって形成されている。このものによっても、図４及び図５を参照して説明した縦筋模様の場合と同様の光学特性が発揮される。
【００３０】
さらに、透光カバー体３６に施されている筋模様は、他の筋模様であってもよい。たとえば図７のように、透光カバー体３６の内面に形成されてその内面の軸線に沿って法線方向に延び、かつ、透光カバー体３６の周方向に一定の間隔を隔てて並べられた多数の先尖り凸条４５と、相隣接する凸条４５，４５の相互間に隙間を開けずに隣接して形成されている谷形凹条４６と、によって形成されていてもよい。さらには、図８のように、透光カバー体３６の外面に形成されてその外面の軸線に沿って法線方向に延び、かつ、透光カバー体３６の周方向に一定の間隔を隔てて並べられた多数の先尖り凸条４７と、相隣接する先尖り凸条４７，４７の相互間に隙間を開けずに隣接して形成されている谷形凹条４８と、によって形成されていてもよい。
【００３１】
また、上記筋模様が、透光カバー体３６の内面又は外面の少なくとも一方側の面に形成されて当該面の周方向に延び、かつ、透光カバー体３６の軸線方向に並べられた多数の凸条又は凹条によって形成された横筋模様であってもよい。そのほか、透光カバー体の内面又は外面の少なくとも一方側の面に形成されたダイアカットの筋模様であってもよい。
【００３２】
図７や図８を参照して説明した縦筋模様や、上記した横筋模様、さらにダイアカットの筋模様は、いずれも光を乱反射して拡散させる光学特性を発揮する。したがって、それらの筋模様によっても、図４や図５を参照して説明した縦筋模様の場合と同様の作用が得られる。なお、ダイアカットの筋模様とは、向きが相違する複数の平坦面を備えた多面集合部が、多数箇所に散在され、又は隙間を開けずに密に配列されている筋模様のことである。
【００３３】
ところで、図４又は図５に示した先尖り凸条４２及び凹条４１は、砲弾形状の透光カバー体３６の頂部から軸線に沿う法線方向に延び出た縦筋模様を形成している。したがって、このことを利用すると、透光カバー体３６に樹脂成形体を用いる場合に、その樹脂成形体を成形することと、縦筋模様を成形することと、同時に行うことができる。言い換えると、透光カバー体３６を樹脂で射出成形する場合に、外金型とその相手方金型である内金型とでなる最も簡素かつ簡単な構成を備えた成形型を用いて成形することが可能になり、しかも、その成形時に、透光カバー体３６の内面の凹凸面を形成している凹条４１及び凸条４２を同時に成形することが可能になる、という利点を有している。この利点は、図６に示した透光カバー体３６を樹脂で成形する場合や、図７及び図８に示した透光カバー体３６を樹脂で成形する場合にも同様に得られる。さらに、この利点は、透光カバー体３６が砲弾形状である場合のほか、透光カバー体３６がドーム形状である場合にも得られる。ここで、ドーム形状とは、中空球体の一部によって形成される碗形の形状を含む。また、砲弾形状とは、ドーム形の頂部に円筒形状の胴部が連設されている形状を指す。
【００３４】
上記した実施形態に係る電球形ＬＥＤランプでは、発光モジュール２０の光源部２１が、細長基板２２の長手方向に縦に配列された複数のＬＥＤ２３を有する。そして、細長基板２２の長手方向に並べるＬＥＤ２３の個数については、その数を２つより多くすることも可能である。そのため、縦に配列するＬＥＤ２３の個数を増やすと、上記した筋模様による光の乱反射作用と相まって、細長い透光カバー体３６を一様に満遍なく光らせることが可能になるという利点がある。
【００３５】
上記した実施形態では、カバー３０を形成している目隠しカバー体３１と透光カバー体３６の両方を樹脂成形体とすることが可能であるけれども、これらの目隠しカバー体３１や透光カバー体３６はガラスで作られることもある。また、透光カバー体３６を砲弾形状にした事例を説明したけれども、この点は、透光カバー体３６がドーム形状であっても、頂部が閉塞された円筒形状であってもよい。さらに、透光カバー体３６は、透明であっても半透明であってもよい。
また、上記した実施形態では、多数の凸条４２又は凹条４１によって形成された筋模様が上記透光カバー体３６の内面又は外面の少なくとも一方側の面のほぼ全体に亘って形成されているが、上記透光カバー体３６の内面又は外面の少なくとも一方側の面の一部分に、例えば、図９に示すように、ＬＥＤ２３に対面している透光カバー体３６の一部分に筋模様を形成してもよい。
【符号の説明】
【００３６】
１０  口金
２０  発光モジュール
２１  光源部
２２  細長基板
２３  ＬＥＤ
２６  電子部品実装部
２８  電子部品
３０  カバー
３１  目隠しカバー体
３６  透光カバー体
４１，４４，４８  凹条
４２  ４３，４５  凸条
【図１】
0003173328.tif 000003
【図２】
0003173328.tif 000004
【図３】
0003173328.tif 000005
【図４】
0003173328.tif 000006
【図５】
0003173328.tif 000007
【図６】
0003173328.tif 000008
【図７】
0003173328.tif 000009
【図８】
0003173328.tif 000010
【図９】
0003173328.tif 000011